(57)【要約】【課題】  他人が示す関心の程度を付与した広告情報を提供すること。【解決手段】  サーバは、広告対象に関連する広告画像と詳細情報とを含む複数の広告情報を記憶する広告情報記憶部（Ｓ０２）と、被写体を撮像した画像を含む被写体情報を受信する被写体情報受信部（Ｓ０３）と、複数の被写体情報それぞれを、被写体情報に含まれる画像と類似する画像を含む広告情報に関連付ける関連付け部と、複数の広告情報それぞれに、該広告情報と関連付けられる被写体情報の数の順に優先度を付与する優先度付与部（Ｓ１０）と、を備える。【選択図】        図５
2010146269.tif 000002
【特許請求の範囲】
【請求項１】
対象物に関連する画像と、該対象物に関する詳細情報とを含む複数の対象情報を記憶する対象情報記憶手段と、
被写体を撮像した画像を含む被写体情報を受信する被写体情報受信手段と、
前記被写体情報受信手段により受信された複数の被写体情報を、前記複数の対象情報のうち前記被写体情報に含まれる画像と類似する画像を含む対象情報に関連付ける関連付け手段と、
前記複数の対象情報に、前記複数の被写体情報のうちで該対象情報と関連付けられる被写体情報に基づいて、優先度を付与する優先度付与手段と、を備えた情報処理装置。
【請求項２】
検索キーを含む対象情報要求を受信する対象情報要求受信手段と、
前記対象情報要求が受信されることに応じて、前記複数の対象情報を前記受信された対象情報要求に含まれる検索キーで検索し、少なくとも１つの対象情報を抽出する対象情報抽出手段と、
前記抽出された少なくとも１つの対象情報と前記優先度とを、前記対象情報要求の送信元に送信する情報提供手段と、をさらに備えた請求項１に記載の情報処理装置。
【請求項３】
前記関連付け手段は、前記被写体情報受信手段により受信された複数の被写体情報を複数のクラスタに分類するクラスタ分類手段と、
前記複数のクラスタそれぞれを代表する複数の代表被写体情報を決定する代表決定手段と、
前記決定された複数の代表被写体情報それぞれを、前記複数の対象情報のうち類似するものに関連付ける代表関連付け手段と、を含み、
前記優先度付与手段は、前記複数の対象情報を、それに関連付けられた代表被写体情報が代表するクラスタに含まれる被写体情報の数の順に優先度を付与する、請求項１または２に記載の情報処理装置。
【請求項４】
前記対象情報要求は、前記検索キーとして被写体を撮像した画像をさらに含み、
前記対象情報抽出手段は、前記複数の対象情報のうち前記対象情報要求に含まれる画像と類似する画像を含む対象情報を抽出する、請求項２または３に記載の情報処理装置。
【請求項５】
請求項２〜４のいずれかに記載の情報処理装置と、被写体情報を送信する被写体情報提供装置とを含む情報提供システムであって、
前記被写体情報提供装置は、
被写体を撮像し、撮像された画像を出力する撮像手段と、
現在位置を取得する位置取得手段と、
前記撮像された画像と、前記取得された現在位置とを前記情報処理装置に送信する送信手段と、を備える、情報提供システム。
【請求項６】
対象物に関連する画像と、該対象物に関する詳細情報とを含む複数の対象情報を記憶するステップと、
被写体を撮像した画像を含む被写体情報を受信するステップと、
前記被写体情報受信手段により受信された複数の被写体情報それぞれを、前記複数の対象情報のうち前記被写体情報に含まれる画像と類似する画像を含む対象情報に関連付けるステップと、
前記複数の対象情報それぞれに、前記複数の被写体情報のうちで該対象情報と関連付けられる被写体情報に基づいて、優先度を付与するステップと、を含む情報処理方法。
【発明の詳細な説明】
【技術分野】
【０００１】
この発明は、情報処理装置、情報提供システムおよび情報処理方法に関し、特に複数の画像を含む情報を処理する情報処理装置、情報提供システムおよび情報処理方法に関する。
【背景技術】
【０００２】
近年、インターネットを利用して広告情報を提供する仕組みが種々存在する。例えば、特開２００７−２８０３６３号公報には、携帯電話機から送信された端末位置情報、端末ＩＤ、複数の店舗から送信された店舗位置情報、広告情報を取得し、端末位置情報と複数の店舗位置情報とに基づいて携帯電話機に向けて送信すべき近隣広告情報を選択し、端末ＩＤと近隣広告情報とを関連付け、携帯電話機に向けて近隣広告情報を送信し、携帯電話機の表示部に近隣広告情報を表示させる広告情報表示方法が記載されている。
【０００３】
しかしながら、携帯電話機の位置に近い位置に多くの店舗が存在する場合には、多数の広告情報が抽出され、ユーザは多数の広告情報のうちからさらに所望のものを探し出すのに、さらに検索等して絞り込む必要があり、所望の広告情報を得るのに手間がかかるといった問題がある。
【０００４】
一方、不特定多数のユーザが関心のある店舗の広告情報ほど広告情報の提供を受けるユーザにとっては必要とされる場合が多いが、不特定多数のユーザの関心がある店舗を調べるためには、不特定多数のユーザにアンケート等の調査をしなければならないといった問題がある。
【特許文献１】特開２００７−２８０３６３号公報
【発明の開示】
【発明が解決しようとする課題】
【０００５】
この発明は上述した問題点を解決するためになされたもので、この発明の目的の１つは、複数の情報に他人が示す関心の程度を付与することが可能な情報処理装置を提供することである。
【０００６】
この発明の他の目的は、他人が示す関心の程度を付与した情報を提供することが可能な情報提供システムを提供することである。
【０００７】
この発明のさらに他の目的は、複数の情報に他人が示す関心の程度を付与することが可能な情報処理方法を提供することである。
【課題を解決するための手段】
【０００８】
上述した目的を達成するために、この発明のある局面によれば、情報処理装置は、対象物に関連する画像と、該対象物に関する詳細情報とを含む複数の対象情報を記憶する対象情報記憶手段と、被写体を撮像した画像を含む被写体情報を受信する被写体情報受信手段と、被写体情報受信手段により受信された複数の被写体情報を、複数の対象情報のうち被写体情報に含まれる画像と類似する画像を含む対象情報に関連付ける関連付け手段と、複数の対象情報に、複数の被写体情報のうちで該対象情報と関連付けられる被写体情報に基づいて、優先度を付与する優先度付与手段と、を備えた情報処理装置。
【０００９】
この局面に従えば、被写体を撮像した画像を含む被写体情報が受信され、複数の被写体情報が、複数の対象情報のうち被写体情報に含まれる画像と類似する画像を含む対象情報に関連付けられ、対象情報に関連付けられている被写体情報に基づいて、優先度が付与される。被写体情報を提供する者は、複数の被写体情報と関係なく被写体を撮像した画像を送信する操作をすればよいので、被写体情報を容易に収集することができる。さらに、例えば、対象情報に含まれる画像と類似する画像を含む被写体情報の数が多いほど高い優先度を付与すれば、対象物に関心を示す者が多いほど高い優先度を付与することができる。その結果、複数の情報に他人が示す関心の程度を付与することが可能な情報提処理装置を提供することができる。
【００１０】
好ましくは、検索キーを含む対象情報要求を受信する対象情報要求受信手段と、対象情報要求が受信されることに応じて、複数の対象情報を受信された対象情報要求に含まれる検索キーで検索し、少なくとも１つの対象情報を抽出する対象情報抽出手段と、抽出された少なくとも１つの対象情報を、対象情報要求の送信元に送信する情報提供手段と、をさらに備える。
【００１１】
この局面に従えば、対象情報要求が受信されることに応じて、複数の対象情報が対象情報要求に含まれる検索キーで検索されて少なくとも１つの対象情報が抽出され、対象情報要求の送信元に送信される。このため、他人が示す関心の程度を付与した情報を提供することができる。
【００１２】
好ましくは、関連付け手段は、被写体情報受信手段により受信された複数の被写体情報について、複数の被写体情報を複数のクラスタに分類するクラスタ分類手段と、複数のクラスタそれぞれを代表する複数の代表被写体情報を決定する代表決定手段と、決定された複数の代表被写体情報それぞれを、複数の対象情報のうち類似するものに関連付ける代表関連付け手段と、を含み、優先度付与手段は、抽出された少なくとも１つの対象情報を、それに関連付けられた代表被写体情報が代表するクラスタに含まれる被写体情報の数の順に優先度を付与する。
【００１３】
この局面に従えば、複数の被写体情報をクラスタ分類するので、不特定多数の者が提供する複数の被写体情報を、適切に分類することができる。
【００１４】
好ましくは、対象情報要求は、検索キーとして被写体を撮像した画像をさらに含み、対象情報抽出手段は、複数の対象情報のうち対象情報要求に含まれる画像と類似する画像を含む対象情報を抽出する。
【００１５】
この局面に従えば、対象情報の絞込みが容易となる。
【００１６】
この発明の他の局面に従えば、情報提供システムは、上記対象情報提供装置と、被写体情報を送信する被写体情報提供装置とを含む情報提供システムであって、被写体情報提供装置は、被写体を撮像し、撮像された画像を出力する撮像手段と、現在位置を取得する位置取得手段と、撮像された画像と、取得された現在位置とを情報処理装置に送信する送信手段と、を備える。
【００１７】
この局面に従えば、他人が示す関心の程度を付与した情報を提供することが可能な情報提供システムを提供することができる。
【００１８】
この発明のさらに他の局面に従えば、情報提供方法は、対象物に関連する画像と、該対象物に関する詳細情報とを含む複数の対象情報を記憶するステップと、被写体を撮像した画像を含む被写体情報を受信するステップと、被写体情報受信手段により受信された複数の被写体情報それぞれを、複数の対象情報のうち被写体情報に含まれる画像と類似する画像を含む対象情報に関連付けるステップと、複数の対象情報それぞれに、複数の被写体情報のうちで該対象情報と関連付けられる被写体情報に基づいて、優先度を付与するステップと、を含む。
【００１９】
この局面に従えば、複数の情報に他人が示す関心の程度を付与することが可能な情報処理方法を提供することができる。
【発明を実施するための最良の形態】
【００２０】
以下、本発明の実施の形態について図面を参照して説明する。以下の説明では同一の部品には同一の符号を付してある。それらの名称および機能も同じである。したがってそれらについての詳細な説明は繰り返さない。
【００２１】
図１は、本発明の実施の形態の１つにおける広告情報提供システムの全体概要を示す図である。図１を参照して、情報提供システムの一例としての広告情報提供システム１は、情報処理装置として機能するサーバ１００と、被写体情報提供装置として機能する携帯情報端末３０１〜３０５と、パーソナルコンピュータ（以下「携帯情報端末」という）２００とを含む。
【００２２】
サーバ１００、ＰＣ２００それぞれは、インターネット１１に接続されており、それぞれに対してインターネット１１上における位置情報としてＩＰ（Ｉｎｔｅｒｎｅｔ  Ｐｒｏｔｏｃｏｌ）アドレスが割り当てられている。なお、インターネット１１上における位置情報は、ＩＰアドレスに限らず、ＭＡＣ（Ｍｅｄｉａ  ＡｃｃｅＳＳ  Ｃｏｎｔｒｏｌ）アドレス等別のアドレスを用いてもよい。また、携帯情報端末３０１〜３０５は、通信事業者が提供するネットワーク１３を介してインターネット１１に接続される。このため、サーバ１００、ＰＣ２００および携帯情報端末３０１〜３０５は、互いに通信が可能である。
【００２３】
サーバ１００およびＰＣ２００は、一般的なコンピュータである。ＰＣ２００のハードウェア構成および機能は周知なのでここでは説明を繰り返さない。携帯情報端末３０１〜３０５は、例えば、携帯電話機である。携帯電話機のハードウェア構成および機能は周知なのでここでは説明を繰り返さないが、通話機能に加えて、カメラで被写体を撮像する撮像機能と、インターネット１１を介してデータ通信するデータ通信機能と、およびＧＰＳ（Ｇｌｏｂａｌ  Ｐｏｓｉｔｉｏｎｉｎｇ  Ｓｙｓｔｅｍ）衛星からの電波を受信して位置を検出する位置検出機能と、を少なくとも備えている。なお、携帯情報端末３０１〜３０５は、携帯電話機に限定されるものではなく、撮像機能とデータ通信機能と、位置検出機能と、を備えていれば、ＰＤＡ（ＰｅｒＳｏｎａｌ  Ｄｉｇｉｔａｌ  ＡＳＳｉＳｔａｎｔＳ）、デジタルカメラ、カーナビゲーションなどであってもよい。なお、図１においては、５台の携帯情報端末３０１〜３０５を示しているが、携帯情報端末３０１〜３０５の台数は、１台以上であればよい。
【００２４】
図２は、サーバのハードウェア構成の一例を示すブロック図である。図２を参照して、サーバ１００は、それぞれがバスに接続された中央演算装置（ＣＰＵ）１０１と、ＣＰＵ１０１が実行するプログラム等を記憶するためのＲＯＭ（Ｒｅａｄ  Ｏｎｌｙ  Ｍｅｍｏｒｙ）１０７と、ＣＰＵ１０１の作業領域として用いられるＲＡＭ（Ｒａｎｄｏｍ  ＡｃｃｅＳＳ  Ｍｅｍｏｒｙ）１０５と、大容量記憶装置としてのハードディスクドライブ（ＨＤＤ）１０３と、サーバ１００をインターネット１１に接続するための通信部１０９と、ユーザとのインターフェースとなる操作部１１３と、ＣＤ−ＲＯＭ（Ｃｏｍｐａｃｔ  ＤｉＳｃ−Ｒｅａｄ  Ｏｎｌｙ  Ｍｅｍｏｒｙ）１１１Ａが装着される外部記憶装置１１１と、を含む。
【００２５】
ＣＰＵ１０１は、サーバ１００の全体を制御する。また、ＣＰＵ１０１は、ＲＯＭ１０３に記憶された広告情報提供プログラムをＲＡＭ１０５にロードして、実行する。また、ＣＰＵ１０１は、外部記憶装置１１１を介してＣＤ−ＲＯＭ１１１Ａに記憶された広告情報提供プログラムをＲＡＭ１０５にロードし、実行するようにしてもよい。
【００２６】
操作部１１３は、キーボードとマウス等のポインティングデバイスとを含む入力部１１５と、データを表示する液晶表示装置または有機ＥＬＤ（ＥｌｅｃｔｒｏＬｕｍｉｎｅＳｃｅｎｃｅ  ＤｉＳｐｌａｙ）等からなる表示部１１７とを含む。
【００２７】
なお、ＣＰＵ１０１が実行するためのプログラムを記憶する記録媒体としては、ＣＤ−ＲＯＭ１１１Ａに限られず、フレキシブルディスク、カセットテープ、光ディスク（ＭＯ（Ｍａｇｎｅｔｉｃ  Ｏｐｔｉｃａｌ  ＤｉＳｃ）／ＭＤ（Ｍｉｎｉ  ＤｉＳｃ）／ＤＶＤ（Ｄｉｇｉｔａｌ  ＶｅｒＳａｔｉｌｅ  ＤｉＳｃ））、ＩＣカード、光カード、マスクＲＯＭ、ＥＰＲＯＭ（ＥｒａＳａｂｌｅ  Ｐｒｏｇｒａｍｍａｂｌｅ  ＲＯＭ）およびＥＥＰＲＯＭなどの半導体メモリ等の媒体でもよい。
【００２８】
さらに、ＣＰＵ１０１がインターネット１１に接続されたコンピュータから広告情報提供プログラムをダウンロードしてＨＤＤ１０３に記憶する、または、インターネットに接続されたコンピュータが広告情報提供プログラムをＨＤＤ１０３に書込みするようにしてＣＰＵ１０１で実行するようにしてもよい。ここで言う広告情報提供プログラムは、ＣＰＵ１０１により直接実行可能なプログラムだけでなく、ソースプログラム、圧縮処理されたプログラム、暗号化されたプログラム等を含む。
【００２９】
図３は、広告情報提供装置が備えるＣＰＵが有する機能の一例を示す機能ブロック図である。図３を参照して、サーバ１００が備えるＣＰＵ１０１は、広告情報を取得する広告情報取得部１２１と、取得された広告情報をＨＤＤ１０３に記憶する広告情報記憶部１２３と、被写体情報を受信する被写体情報受信部１２５と、被写体情報を広告情報のいずれかに関連付ける関連付け部１２７と、広告情報要求を受信する広告情報要求受信部１２９と、広告情報要求に含まれる検索キーに基づいて広告情報を抽出する広告情報抽出部１３１と、抽出された広告情報に優先度を付与する優先度付与部１３３と、広告情報に優先度を付与して提供する広告提供部１３５と、を含む。
【００３０】
広告情報取得部１２１は、広告主が提供する広告情報を取得し、取得された広告情報を広告情報記憶部１２３に出力する。具体的には、広告主からの依頼によりサーバ１００の管理者が広告主から受け取る広告情報を、サーバ１００に直接入力すれば、広告情報取得部１２１はその広告情報を取得する。または、サーバ１００の管理者が、広告主から電子データとしての広告情報を電子メール等で受け取り、サーバ１００に電子データとしての広告情報を入力すれば、広告情報取得部１２１はその広告情報を取得する。または、広告主が、インターネット１１に接続されたコンピュータに広告情報を入力し、インターネット１１を介してコンピュータからサーバ１００に送信する場合、サーバ１００がコンピュータから受信すると、広告情報取得部１２１は広告情報を取得する。
【００３１】
広告情報記憶部１２３は、広告情報取得部１２１から広告情報が入力されると、その広告情報をＨＤＤ１０３に記憶する。これにより、ＨＤＤ１０３に広告情報１５１が記憶される。広告情報は、広告対象である店舗がターゲットとする顧客の個人属性の範囲と、広告の対象とする店舗の位置を示す位置情報と、店舗の正面が向く方位と、店舗の営業時間と、店舗が分類されるカテゴリーと、店舗を撮像した画像（以下「広告画像」という）と、を含む。カテゴリーは、飲食店、宿泊施設（ホテル）、小売店（デパート）、レジャー施設等の別を示す営業種別である。個人属性は、性別、年齢、所得、職業を含む。
【００３２】
被写体情報受信部１２５は、通信部１０９を制御して、携帯情報端末３０１〜３０５のいずれかが送信する被写体情報を受信する。被写体情報受信部１２５は、受信された被写体情報をＨＤＤ１０３に記憶するとともに、関連付け部１２７に出力する。これにより、ＨＤＤ１０３に被写体情報１５３が記憶される。被写体情報１５３は、被写体を撮像した画像を少なくとも含む。被写体情報は、被写体を撮像した位置を示す位置情報、その被写体を撮像した撮像者の個人属性、被写体の店舗が分類されるカテゴリー、被写体を撮像した時刻のうちから選ばれた１以上を含んでもよい。
【００３３】
ここで、携帯情報端末３０１〜３０５について説明する。携帯情報端末３０１〜３０５は、機能が同じなので、ここでは携帯情報端末３０１につい説明する。
【００３４】
図４は、携帯情報端末が備えるＣＰＵが有する機能の概要を示す機能ブロック図である。図４を参照して、携帯情報端末３０１が備えるＣＰＵ２０１は、カメラで撮像された画像を取得する撮像画像取得部２１１と、ＧＰＳ衛星からの信号を受信し、位置を取得する現在位置取得部２１３と、個人属性を受け付ける属性受付部２１５と、被写体が分類されるカテゴリーを受け付けるカテゴリー受付部２１７と、カメラで画像が撮像された時刻を取得する現在時刻取得部２１９と、方位を取得する方位取得部２２０と、被写体情報を送信する被写体情報送信部２２１と、を含む。
【００３５】
撮像画像取得部２１１は、携帯情報端末３０１が備えるカメラが被写体を撮像して出力する画像を取得する。携帯情報端末３０１のユーザが、被写体を撮像するためにシャッターボタン押下すれば、カメラが撮像した画像を出力する。撮像画像取得部２１１は、そのカメラが出力する画像を取得し、取得された画像を被写体情報送信部２２１に出力する。ここでは、カメラが出力する画像を被写体画像という。
【００３６】
現在位置取得部２１３は、携帯情報端末３０１が備えるＧＰＳ信号受信部が、ＧＰＳ衛星が送信するＧＰＳ信号を受信すると、その受信されたＧＰＳ信号に基づいて位置を取得する。ＧＰＳ信号から直接位置を算出するようにしてもよいし、携帯情報端末３０１の通信事業者が備えるサーバにＧＰＳ信号を送信し、そのサーバから位置を受信するようにしてもよい。現在位置取得部２１３は位置を取得すると、取得された位置を被写体情報送信部２２１に出力する。ここでは、現在位置取得部が取得する位置を、撮像位置という。
【００３７】
属性受付部２１５は、ユーザが携帯情報端末に入力する個人属性を受け付ける。個人属性は、性別、年齢、所得、職種を含む。ユーザにより予め入力された個人属性を、携帯情報端末３０１が備えるメモリに記憶しておき、そのメモリから個人属性を読み出すことにより個人属性を受け付けるようにしてもよい。属性受付部２１５は、受け付けられた個人属性を被写体情報送信部２２１に出力する。
【００３８】
カテゴリー受付部２１７は、ユーザが携帯情報端末３０１に入力するカテゴリーを受け付け、受け付けられたカテゴリーを被写体情報送信部２２１に出力する。カテゴリーは、被写体となる店舗が分類されるに情報であり、飲食店、ホテル、デパート、レジャーなど被写体の店舗の営業する種別を示す。
【００３９】
現在時刻取得部２１９は、撮像画像取得部２１１が被写体画像を取得した時点における時刻を取得し、取得した時刻を撮像時刻として被写体情報送信部２２１に出力する。携帯情報端末３０１が備える内蔵時計により計時された現在時刻を撮像時刻として取得する。
【００４０】
方位取得部２２０は、撮像画像取得部２１１が撮像画像を取得した時点において、携帯情報端末３０１が備える地磁気センサーにより出力される信号に基づいて、カメラで撮像した方向の方位を取得する。方位取得部２２０は、取得された方位を被写体方位として被写体情報送信部２２１に出力する。
【００４１】
被写体情報送信部２２１は、撮像画像取得部２１１から入力される被写体画像と、現在位置取得部２１３から入力される撮像位置と、属性受付部２１５から入力される個人属性と、カテゴリー受付部２１７から入力されるカテゴリーと、現在時刻取得部２１９から入力される撮像時刻と、方位取得部２２０から入力される被写体方位とを含む被写体情報を生成する。そして、被写体情報送信部２２１は、生成された被写体情報をサーバ１００に送信する。
【００４２】
図３に戻って、被写体情報受信部１２５は、複数の携帯情報端末３０１〜３０５から被写体情報を受信する毎に、受信される被写体情報をＨＤＤ１０３に記憶する。また、携帯情報端末３０１〜３０５のいずれか１つ、例えば携帯情報端末３０１のユーザが、複数の被写体を撮像する場合、複数の被写体情報を携帯情報端末３０１から受信し、ＨＤＤ１０３に記憶する。このため、ＨＤＤ１０３には、複数の被写体情報１５３が記憶される。
【００４３】
関連付け部１２７は、クラスタ分類部１４１と、代表決定部１４３と、代表関連付け部１４５とを含む。クラスタ分類部１４１は、ＨＤＤ１０３に記憶された複数の被写体情報１５３を、それに含まれる被写体画像、撮像位置、属性、カテゴリー、撮像時刻および被写体方位に基づいて、被写体情報をクラスタ分類する。被写体画像、撮像位置、属性、カテゴリー、撮像時刻、被写体方位が類似する被写体情報が同じクラスタに分類される。複数の被写体情報をクラスタ分類することにより、複数の被写体情報が複数のクラスタに分類される。
【００４４】
代表決定部１４３は、クラスタ分類部１４１により複数の被写体情報が分類された複数のクラスタ毎に、そのクラスタに含まれる少なくとも１つの被写体情報のうちから代表となる１つの被写体情報を決定する。以下、クラスタに含まれる少なくとも１つの被写体情報の代表となる被写体情報を、代表被写体情報という。代表被写体情報は、クラスタに含まれる複数の被写体情報のうち、被写体画像、撮像位置、属性、カテゴリー、撮像時刻、被写体方位が中間または平均に位置する被写体情報とする。代表決定部１４３は、複数のクラスタそれぞれについて決定された複数の代表被写体情報を代表関連付け部１４５に出力する。
【００４５】
代表関連付け部１４５は、複数の代表被写体情報それぞれについて、ＨＤＤ１０３に記憶されている複数の広告情報１５１のうち、関連する１つの広告情報と関連付ける。代表被写体情報は少なくとも被写体画像を含み、広告情報は広告画像を含む。代表被写体情報に含まれる被写体画像と類似する広告画像を含む広告情報を、代表被写体情報に関連付ける。画像が類似するか否かは、画像の特徴量が類似するか否かにより判断する。画像の特徴量は、画像全体または所定の部分の領域における輝度、色相、彩度のヒストグラム、周波数分布、画像に含まれる矩形のタテヨコ比率、連続する領域数などを含む。
【００４６】
なお、関連付け部１２７は、代表被写体情報を決定することなく、複数の被写体情報それぞれについて、ＨＤＤ１０３に記憶されている複数の広告情報１５１のうち、関連する１つの広告情報と関連付けるようにしてもよい。この場合、被写体情報に含まれる被写体画像と類似する広告画像を含む広告情報を、被写体情報に関連付ける。さらに、代表被写体情報を決定しないので、クラスタ分類部１４１と、代表決定部１４３と、代表関連付け部１４５は不要である。
【００４７】
なお、代表被写体情報が個人属性を含む場合、ＨＤＤ１０３に記憶されている複数の広告情報１５１のうち、それに含まれるターゲットとする顧客の個人属性の範囲内に代表被写体情報に含まれる個人属性を含む広告情報を抽出し、抽出された広告情報のうちから被写体画像に類似する類似する広告画像を含む広告情報を抽出する。また、代表被写体情報が撮像時刻を含む場合、ＨＤＤ１０３に記憶されている複数の広告情報１５１のうち、それに含まれる営業時間内に代表被写体情報に含まれる撮像時刻を含む広告情報を抽出し、抽出された広告情報のうちから被写体画像に類似する類似する広告画像を含む広告情報を抽出する。また、代表被写体情報がカテゴリーを含む場合、ＨＤＤ１０３に記憶されている複数の広告情報１５１のうち、それに含まれるカテゴリーが代表被写体情報に含まれるカテゴリーと一致する広告情報を抽出し、抽出された広告情報のうちから被写体画像に類似する類似する広告画像を含む広告情報を抽出する。
【００４８】
代表関連付け部１４５は、複数の代表被写体情報それぞれを、複数の広告情報１５１のうちの１つに関連付ける。このため、１つの広告情報１５１に対して、複数の代表情報が関連付けられる場合がある。代表関連付け部１４５は、代表被写体情報と、それに関連付けられる少なくとも１つの広告情報との組を含む関連付け情報を生成し、ＨＤＤ１０３に記憶する。これにより、ＨＤＤ１０３に関連付け情報１５５が記憶される。
【００４９】
広告情報要求受信部１２９は、通信部１０９を制御し、通信部１０９がＰＣ２００から送信される広告情報要求を受信し、受信された広告情報要求を広告情報抽出部１３１に出力する。広告情報要求は、検索キーを含む。検索キーは少なくとも位置情報を含む。位置情報は、住所であってもよいし、緯度と経度であっても良く、さらに、地名であってもよい。また、検索キーは、個人属性、時刻、カテゴリーを含んでもよい。
【００５０】
さらに、広告情報要求をＰＣ２００ではなく、携帯情報端末３０１〜３０５から送信してもよい。この場合、携帯情報端末３０１〜３０５はカメラを有するので、検索キーは、携帯情報端末３０１〜３０５が有すカメラにより撮像された画像を含んでもよい。
【００５１】
広告情報抽出部１３１は、ＨＤＤ１０３に記憶されている複数の広告情報１５１を広告情報要求に含まれる検索キーで検索し、少なくとも１つの広告情報１５１を抽出する。検索キーは少なくとも位置情報を含むので、検索キーに含まれる位置情報で特定される位置から所定の範囲内の位置情報を含む広告情報を抽出する。この場合、複数の広告情報１５１が抽出される場合がある。広告情報抽出部１３１は、抽出された複数の広告情報１５１を、優先度付与部１３３に出力する。
【００５２】
広告情報抽出部１３１は、広告情報要求に含まれる検索キーが個人属性を含む場合、ＨＤＤ１０３に記憶されている複数の広告情報１５１のうち、それに含まれるターゲットとする顧客の個人属性の範囲内に検索キーに含まれる個人属性を含む広告情報を抽出する。広告情報要求が時刻を含む場合、ＨＤＤ１０３に記憶されている複数の広告情報１５１のうち、それに含まれる営業時間内に広告情報要求に含まれる時刻を含む広告情報を抽出する。広告情報要求がカテゴリーを含む場合、ＨＤＤ１０３に記憶されている複数の広告情報１５１のうち、それに含まれるカテゴリーが広告情報要求に含まれるカテゴリーと一致する広告情報を抽出する。
【００５３】
優先度付与部１３３は、広告情報抽出部１３１から入力される少なくとも１つの広告情報それぞれに対して、関連付け情報１５５に基づいて優先度を付与する。具体的には、広告情報を含む関連付け情報１５５により広告情報に関連付けられた代表被写体情報が代表するクラスタに含まれる被写体情報の数を優先度に設定する。関連付け情報１５５によって広告情報に複数の代表被写体情報が関連付けられている場合、複数の代表被写体情報それぞれが代表する複数のクラスタに含まれる被写体情報の総数を優先度に設定する。または、各広告情報が閲覧された頻度から算出される閲覧率などと組み合せて優先度を設定しても良い。優先度付与部１３３は、広告情報とそれに付与された優先度との組を広告提供部１３５に出力する。優先度付与部１３３は、広告情報抽出部１３１から複数の広告情報が入力される場合、広告情報と優先度との複数の組を広告提供部１３５に出力する。
【００５４】
広告提供部１３５は、優先度付与部１３３から入力される広告情報と優先度との組が入力されると、通信部１０９を制御して、広告情報要求を送信してきたＰＣ２００に広告情報を送信する。広告提供部１３５は、優先度付与部１３３から広告情報と優先度との組が複数入力される場合、複数の組に含まれる複数の広告情報を、その広告情報と組になる優先度が大きい順に、ＰＣ２００に送信する。なお、優先度が高い広告情報、例えば、優先度が所定値以上の広告情報をＰＣ２００に送信するようにしてもよい。また、広告情報だけでなく、広告情報と優先度との組をＰＣ２００に送信してもよいし、その場合、優先度は、例えば、スコアという形式で提供されてもよい。
【００５５】
これにより、ＰＣ２００に広告情報要求の送信を指示したユーザは、優先度の高い順に広告情報を閲覧することができる。優先度は、広告情報に関連付けられた被写体情報の数であり、被写体情報は携帯情報端末３０１〜３０５を操作する不特定多数のものが提供する情報であるため、不特定多数のものによる関心の高さを示す情報と言える。したがって、ＰＣ２００に広告情報要求の送信を指示したユーザは、不特定多数のものが興味を示す関心度が高い順に広告情報を閲覧することができる。このため、提供される複数広告情報のうちから所望のものを検索とするための操作が不要となり、所望の広告情報を容易に閲覧することができる。
【００５６】
図５は、広告情報提供処理の流れの一例を示すフローチャートである。広告情報提供処理は、サーバ１００が備えるＣＰＵ１０１が、広告情報提供プログラムを実行することにより、ＣＰＵ１０１により実行される処理である。図５を参照して、ＣＰＵ１０１は、広告情報を取得したか否かを判断する(ステップＳ０１)。広告情報を取得したならば処理をステップＳ０２に進めるが、そうでなければステップＳ０２をスキップして処理をステップＳ０３に進める。ステップＳ０２においては、取得された広告情報をＨＤＤ１０３に記憶し、処理をステップＳ０３に進める。
【００５７】
ステップＳ０３においては、被写体情報を受信したか否かを判断する。通信部１０９が、携帯情報端末３０１〜３０５のいずれかから被写体情報を受信したならば、被写体情報を受信したと判断する。被写体情報を受信したならば処理をステップＳ０４に進めるが、そうでなければステップＳ０４をスキップして処理をステップＳ０５に進める。ステップＳ０４においては、受信された被写体情報をＨＤＤ１０３に記憶し、処理をステップＳ０５に進める。
【００５８】
ステップＳ０５においては、広告情報要求を受信したか否かを判断する。通信部１０９が、ＰＣ２００から広告情報要求を受信したならば、広告情報要求を受信したと判断する。広告情報要求を受信したならば処理をステップＳ０６に進めるが、そうでなければ処理をステップＳ０１に戻す。
【００５９】
ステップＳ０６においては、受信された広告情報要求に含まれる検索キーでＨＤＤ１０３に記憶されている広告情報１５１を検索し、広告情報を抽出する。具体的には、ＨＤＤ１０３に記憶されている複数の広告情報１５１のうち、それに含まれる位置情報で特定される位置が広告情報要求に含まれる検索キーに含まれる位置情報で特定される位置から所定の範囲内に含まれる広告情報を抽出する。この際、複数の広告情報が抽出される場合がある。次のステップＳ０７においては、ステップＳ０６において抽出された広告情報のうちから処理対象とする広告情報を１つ選択する。
【００６０】
そして、ＨＤＤ１０３に記憶されている関連付け情報１５５のうちからステップＳ０７において処理対象として選択された広告情報を含む関連付け情報を取得する（ステップＳ０８）。関連付け情報をＨＤＤ１０３に記憶する処理については後述する。
【００６１】
そして、ステップＳ０７において処理対象に選択された広告情報に対して、ステップＳ０８において取得された関連付け情報によって関連付けられたクラスタを決定する（ステップＳ０９）。そして、取得されたクラスタに含まれる被写体情報の数を優先度に設定し（ステップＳ１０）、処理をステップＳ１１に進める。
【００６２】
次のステップＳ１１においては、ステップＳ０６において抽出された広告情報のうちに、未だ処理対象として選択されていない広告情報が存在するか否かを判断する。未処理の広告情報が存在すれば（ステップＳ１１でＹＥＳ）、処理をステップＳ０７に戻すが、そうでなければ（ステップＳ１１でＮＯ）、処理をステップＳ１２に進める。ステップＳ１２においては、ステップＳ０６において選択された広告情報をステップＳ０９において付与された優先度順に、ステップＳ０５において受信された広告情報要求を送信してきたＰＣ２０に送信し、処理をステップＳ０１に戻す。
【００６３】
図６は、関連付け処理の流れの一例を示すフローチャートである。関連付け処理は、サーバ１００が備えるＣＰＵ１０１が、広告情報提供プログラムを実行することにより、ＣＰＵ１０１により実行される処理である。また、関連付け処理は、ＣＰＵ１０１が、被写体情報を受信する毎に実行するようにしてもよいし、所定の時間間隔で実行するようにしてもよい。また、ＨＤＤ１０３に記憶される被写体情報１５３が所定数増加する毎に実行するようにしても良い。
【００６４】
図６を参照して、ＣＰＵ１０１は、ＨＤＤ１０３に記憶されている複数の被写体情報１５３をクラスタ分類する（ステップＳ２１）。これによって、複数の被写体情報１５３それぞれが複数のクラスタのいずれかに分類される。そして、複数の被写体情報１５３が分類された複数のクラスタのうちから処理対象とするクラスタを選択する（ステップＳ２２）。
【００６５】
次のステップＳ２３においては、選択されたクラスタに含まれる複数の被写体情報のうちから代表となる代表被写体情報を決定する。代表被写体情報は、複数の被写体情報のうちから任意の１つとすることができる。ここでは、クラスタ分類の要素とされた複数の要素それぞれにおいて、中央値または平均値となる被写体情報を代表被写体情報としている。
【００６６】
そして、代表被写体情報に類似する広告情報を決定する（ステップＳ２４）。代表被写体情報は少なくとも撮像画像を含み、広告情報は広告画像を含む。代表被写体情報に含まれる撮像画像と類似する広告画像を含む広告情報を、代表被写体情報に類似する広告情報に決定する。なお、代表被写体情報が個人属性を含む場合、ＨＤＤ１０３に記憶されている複数の広告情報１５１のうち、それに含まれるターゲットとする顧客の個人属性の範囲内に代表被写体情報に含まれる属性を含む広告情報を抽出し、抽出された広告情報のうちから代表被写体情報に含まれる被写体画像に類似する広告画像を含む広告情報を抽出する。また、代表被写体情報が撮像時刻を含む場合、ＨＤＤ１０３に記憶されている複数の広告情報１５１のうち、それに含まれる営業時間内に代表被写体情報に含まれる撮像時刻を含む広告情報を抽出し、抽出された広告情報のうちから代表被写体情報に含まれる被写体画像に類似する広告画像を含む広告情報を抽出する。また、代表被写体情報がカテゴリーを含む場合、ＨＤＤ１０３に記憶されている複数の広告情報１５１のうち、それに含まれるカテゴリーが代表被写体情報に含まれるカテゴリーと一致する広告情報を抽出し、抽出された広告情報のうちから代表被写体情報に含まれる被写体画像に類似する広告画像を含む広告情報を抽出する。
【００６７】
次のステップＳ２５においては、ステップＳ２２において処理対象として選択されたクラスタと、ステップＳ２４において決定された代表被写体情報に類似する広告情報とを関連付けた関連付け情報を生成し、処理をステップＳ２６に進める。ステップＳ２６においては、生成された関連付け情報をＨＤＤ１０３に記憶する。これにより、ＨＤＤ１０３に関連付け情報１５５が記憶される。
【００６８】
次のステップＳ２７においては、ステップＳ２１において複数の被写体情報を分類した複数のクラスタのうちから未だ処理対象となっていないクラスタが存在するか否かを判断する。そのようなクラスタが存在するならば、処理をステップＳ２２に戻し、そうでなければ処理を終了する。
【００６９】
図７は、被写体情報送信処理の流れの一例を示すフローチャートである。被写体情報送信処理は、携帯情報端末３０１〜３０５のいずれかが、被写体情報送信プログラムを実行することにより、携帯情報端末３０１から３００号のいずれかにより実行される処理である。ここでは、携帯情報端末３０１が被写体情報送信処理を実行する場合を例に設定する。
【００７０】
図７を参照して、携帯情報端末３０１は、被写体が撮像されたか否かを判断する（ステップＳ５１）。携帯情報端末３０１のユーザがシャッターを押下する操作を検出したならば、被写体が撮像されたと判断する。被写体が撮像されるまで待機状態となり（ステップＳ５１でＮＯ）、被写体が撮像されたならば処理をステップＳ５２に進める。
【００７１】
ステップＳ５２においては、撮像して得られる画像を取得する。そして、撮像されたとき時刻を取得し（ステップＳ５３）、撮像方向の方位を取得する（ステップＳ５４）。次のステップＳ５５においては、被写体情報を送信する指示を受け付けたか否かを判断する。携帯情報端末３０１のユーザが予め定められたキーを押下する操作を検出したならば被写体情報送信する指示を受け付ける。被写体情報を送信する指示を受け付けたならば処理をステップＳ５６に進めるが、そうでなければ処理を終了する。
【００７２】
ステップＳ５６においては、個人属性を受け付ける。携帯情報端末３０１のユーザが携帯情報端末３０１に入力する個人属性を受け付ける。個人属性は、年齢、性別、所得、職種を含む。次に、現在位置の測定が可能か否かを判断する（ステップＳ５７）。ＧＰＳ信号受信部がＧＰＳ信号をＧＰＳ衛星から受信することができるならば、現在位置の測定が可能と判断するが、そうでなければ現在位置の測定が不可能と判断する。現在位置の測定が可能と判断する場合、処理をステップＳ５８に進めるが、そうでなければ処理をステップＳ５９に進める。
【００７３】
ステップＳ５８においては、ＧＰＳ信号に基づいて現在位置を決定し、処理をステップＳ６０に進める。一方、ステップＳ５９においては、ユーザが携帯情報端末３０１に入力する現在位置を受け付け、処理をステップＳ６０に進める。ユーザが入力する現在位置は、例えば、住所、郵便番号または電話番号等である。
【００７４】
ステップＳ６０においては、ユーザが携帯情報端末３０１に入力するカテゴリーを受け付ける。カテゴリーは、ステップＳ５１において撮像された被写体である店舗が分類される営業種別を示す。複数のカテゴリーを表示し、ユーザが複数のカテゴリーのうちから選択したカテゴリーを受け付ける。次のステップＳ６１においては、被写体情報を生成し、生成された被写体情報をサーバに１００人送信する。被写体情報の送信は、例えば、電子メールに添付して送信する。被写体情報は、ステップＳ５２において取得された被写体画像、ステップＳ５３において取得された撮像時刻、ステップＳ５４において取得された被写体方位、ステップＳ５６において受け付けられた個人属性、ステップＳ５８において決定された撮像位置またはステップＳ５９において受け付けられが撮像位置、およびステップＳ６０において受け付けられがカテゴリーを含む。
【００７５】
図８は、広告情報要求処理の流れの一例を示すフローチャートである。広告情報要求処理は、ＰＣ２００が備えるＣＰＵが、広告情報要求プログラムを実行することにより、ＰＣ２００が備えるＣＰＵにより実行される処理である。サーバ１００が広告情報要求プログラムをＰＣ２００に送信し、ＰＣ２００がサーバ１００から受信した広告情報要求プログラムを実行する。
【００７６】
図８を参照して、ＰＣ２００が備えるＣＰＵは、検索キーを受け付けたか否かを判断する。ユーザが、ＰＣ２００が備えるキーボードまたはマウスを用いて、検索キーをＰＣ２００に入力すると、入力された検索キーを受け付ける。検索キーを受け付けるまで待機状態となり（ステップＳ７１でＮＯ）、検索キーを受け付けたならば処理をステップＳ７２に進める。検索キーは、位置情報、時刻、方位、個人属性、カテゴリーを含む。
【００７７】
ステップＳ７２においては、受け付けられた検索キーを広告情報要求に設定し、処理をステップＳ７３に進める。ステップＳ７３においては、広告情報要求をサーバ１００に送信し、処理をステップＳ７４に進める。ステップＳ７４においては、広告情報を受信するまで待機状態となり（ステップＳ７４でＮＯ）、広告情報を受信すると（ステップＳ７４でＹＥＳ）、処理をステップＳ７５に進める。ステップＳ７５においては、広告情報と共に受信される優先度の大きい順に広告情報を表示する。
【００７８】
以上説明したように本実施の形態におけるサーバ１００は、情報処理装置として機能し、複数の広告情報１５１をＨＤＤ１５１に記憶しており、被写体を撮像した画像を含む被写体情報を受信すると、ＨＤＤ１０３に記憶し、複数の被写体情報それぞれを、複数の広告情報のうち被写体情報に含まれる画像と類似する画像を含む広告情報に関連付けた関連付け情報１５５をＨＤＤ１０３に記憶する。そして、広告情報それぞれに、複数の被写体情報のうちで該広告情報と関連付けられる被写体情報の数の順に優先度を付与するので、広告情報に含まれる画像と類似する画像を含む被写体情報を送信した者の数が多いほど優先度が高くなる。このため、複数の情報に他人が示す関心の程度を付与することができる。
【００７９】
また、広告情報要求を受信することに応じて、複数の広告情報を広告情報要求に含まれる検索キーで検索し、少なくとも１つの広告情報を抽出し、抽出された少なくとも１つの広告情報を、広告情報要求の送信元に送信する。このため、他人が示す関心の程度を付与した広告情報を提供することができる。
【００８０】
被写体情報が位置情報を含む場合は、広告情報と被写体情報とを位置で関連付けることができる。被写体情報の数が多いほど、多くの者がその広告対象が位置する場所を訪れているので、関連付けの精度を向上させることができる。
【００８１】
また、複数の被写体情報をクラスタ分類し、クラスタを代表する代表被写体情報を広告情報と関連付けるので、不特定多数の者が提供する複数の被写体情報を、適切に分類し、広告情報に関連付けることができる。
【００８２】
また、広告情報要求は、検索キーとして被写体を撮像した画像を含む場合、複数の広告情報のうち広告情報要求に含まれる画像と類似する画像を含む広告情報を抽出する。このため、広告情報の絞込みを容易にすることができる。
【００８３】
なお、上述した実施の形態においては、広告情報を提供する広告情報提供システム１について説明したが、提供する情報を広告情報に限定するものではない。提供する情報は、有体物および無体物を含む対象物に関連する画像を含む対象情報であってもよい。有体物は、動産と、建築物および土地等の不動産を含む。無体物は、例えば、音楽コンテンツ、映像コンテンツ、コンピュータプログラムの他、他人に提供するサービス等を含む。有体物に関連する画像は、その物を撮像した画像の他、その物の作者等その物に関連する有体物を撮像した画像を含む。無体物に関連する画像は、その物の作者または所有者、またはその物を宣伝広告するために製作された有体物等、その物に関連する有体物を撮像した画像を含む。
【００８４】
また、上述した実施の形態においては、広告情報提供システム１について説明したが、図５および図６の処理をサーバ１００に実行させる情報処理方法または情報処理方法をコンピュータに実行させるための情報処理プログラムとして発明を捉えることができるのは言うまでもない。
【００８５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８６】
＜付記＞
（１）  前記複数の対象情報それぞれに含まれる前記詳細情報は、対象物の位置を示す位置情報を含み、
前記被写体情報は、被写体を撮像した画像が撮像された位置を示す位置情報をさらに含み、
前記関連付け手段は、前記複数の被写体情報のうち、前記被写体情報に含まれる位置情報で特定される位置から所定の範囲内に対象物が存在する対象情報について、該対象情報に含まれる画像と前記被写体情報に含まれる画像とが類似するか否かを判断する、請求項１〜４のいずれかに記載の情報処理装置。
この局面に従えば、対象物の位置と被写体情報の位置とが近い場合に関連付けられるので、被写体情報の被写体と対象物とを一致させる精度を向上することができる。
（２）  前記被写体情報は、被写体の撮像者に関する個人属性をさらに含み、
前記対象情報は、対象物が対象とする個人属性の範囲をさらに含み、
前記関連付け手段は、前記複数の被写体情報のうち、前記被写体情報に含まれる個人属性を個人属性の範囲内に含む対象情報について、該対象情報に含まれる画像と前記被写体情報に含まれる画像とが類似するか否かを判断する、請求項１〜４のいずれかに記載の情報処理装置。
この局面に従えば、被写体情報の個人の個人属性が、対象物が対象とする個人属性の範囲に含まれる場合に、被写体情報と対象情報とが関連付けられるので、対象情報に適切な被写体情報を関連付けることができる。
（３）  前記被写体情報は、被写体を分類するために予め定められた複数のカテゴリーのいずれかをさらに含み、
前記対象情報は、前記複数のカテゴリーのうち前記対象物が分類されるカテゴリーをさらに含み、
前記関連付け手段は、前記複数の被写体情報のうち、前記被写体情報に含まれるカテゴリーと一定するカテゴリーを含む対象情報について、該対象情報に含まれる画像と前記被写体情報に含まれる画像とが類似するか否かを判断する、請求項１〜４のいずれかに記載の情報処理装置。
この局面に従えば、被写体情報のカテゴリーが、対象物のカテゴリーと一致する場合に、被写体情報と対象情報とが関連付けられるので、対象情報に適切な被写体情報を関連付けることができる。
（４）  前記被写体情報は、被写体の撮像日時をさらに含み、
前記対象情報は、対象物の営業時間をさらに含み、
前記関連付け手段は、前記複数の被写体情報のうち、前記被写体情報に含まれる撮影日時を営業時間内に含む対象情報について、該対象情報に含まれる画像と前記被写体情報に含まれる画像とが類似するか否かを判断する、請求項１〜４のいずれかに記載の情報処理装置。
この局面に従えば、被写体情報の時刻が、対象物の営業時間に含まれる場合に、被写体情報と対象情報とが関連付けられるので、対象情報に適切な被写体情報を関連付けることができる。
（５）  対象物に関連する画像と、該対象物に関する詳細情報とを含む対象情報を記憶するステップと、
被写体を撮像した画像を含む被写体情報を受信するステップと、
前記被写体情報受信手段により受信された複数の被写体情報それぞれを、前記複数の対象情報のうち前記被写体情報に含まれる画像と類似する画像を含む対象情報に関連付けるステップと、
前記複数の対象情報それぞれに、前記複数の被写体情報のうちで該対象情報と関連付けられる被写体情報に基づいて、優先度を付与するステップと、をコンピュータに実行させる情報処理プログラム。
【図面の簡単な説明】
【００８７】
【図１】本発明の実施の形態の１つにおける広告情報提供システムの全体概要を示す図である。
【図２】サーバのハードウェア構成の一例を示すブロック図である。
【図３】広告情報提供装置が備えるＣＰＵが有する機能の一例を示す機能ブロック図である。
【図４】携帯情報端末が備えるＣＰＵが有する機能の概要を示す機能ブロック図である。
【図５】広告情報提供処理の流れの一例を示すフローチャートである。
【図６】関連付け処理の流れの一例を示すフローチャートである。
【図７】被写体情報送信処理の流れの一例を示すフローチャートである。
【図８】広告情報要求処理の流れの一例を示すフローチャートである
【符号の説明】
【００８８】
１  広告情報提供システム、１１  インターネット、１３  ネットワーク、１００  サーバ、１０１  ＣＰＵ、１０３  ＨＤＤ、１０５  ＲＡＭ、１０７  ＲＯＭ、１０９  通信部、１１１  外部記憶装置、１１１Ａ  ＣＤ−ＲＯＭ、１１３  操作部、１１５  入力部、１１７  表示部、１２１  広告情報取得部、１２３  広告情報記憶部、１２５  被写体情報受信部、１２７  関連付け部、１２９  広告情報要求受信部、１３１  広告情報抽出部、１３３  優先度付与部、１３５  広告提供部、１４１  クラスタ分類部、１４３  代表決定部、１４５  代表関連付け部、２００  ＰＣ、２１１  撮像画像取得部、２１３  現在位置取得部、２１５  属性受付部、２１７  カテゴリー受付部、２１９  現在時刻取得部、２２０  方位取得部、２２１  被写体情報送信部、３０１〜３０５  携帯情報端末。
【図１】
2010146269.tif 000003
【図２】
2010146269.tif 000004
【図３】
2010146269.tif 000005
【図４】
2010146269.tif 000006
【図５】
2010146269.tif 000007
【図６】
2010146269.tif 000008
【図７】
2010146269.tif 000009
【図８】
2010146269.tif 000010